(57)【特許請求の範囲】
【請求項１】
昇降路を昇降する乗かご及びつり合いおもりと、上下に延在するように前記昇降路に立設され、前記乗かごの昇降移動を案内する乗かごガイドレールと、上下に延在するように前記昇降路に立設され、前記つり合いおもりの昇降移動を案内するつり合いおもりガイドレールと、前記昇降路の上部に架設される支持梁と、前記乗かご及び前記つり合いおもりを吊るロープと、このロープが滑走自在に巻き掛けられる吊り滑車と、この吊り滑車を吊るとともに、前記支持梁に挿通される吊りロッドと、この吊りロッドに螺合され、前記吊りロッドを前記支持梁の上部にて固定するナットと、前記吊りロッドに挿通され、前記支持梁の上面と接するように配置される第１のプレートと、前記吊りロッドに挿通され、前記第１のプレートの上面と接するように配置される弾性体と、前記吊りロッドに挿通され、前記弾性体と前記ナットとの間に配置される第２のプレートと、前記吊りロッドに螺合され、前記ナットの上面に接するように配置されるロックナットとを有するエレベータ装置にあって、前記吊りロッドから前記支持梁に伝達する振動を低減するエレベータ吊りロッド防振装置の取付け方法おいて、
前記ロックナットを前記吊りロッドから取外した後、その下面に前記ナットの外形寸法よりも大きな寸法を有する穴が形成されるスペーサを前記吊りロッド上端から挿通して前記ナットを覆うように配置し、次いで、追設弾性体を前記スペーサの上面に接するように配置し、この後、追設プレートを前記追設弾性体の上面に接するように配置し、次に、追設ナットを前記吊りロッドに螺合するとともに、この追設ナットを前記弾性体及び前記追設弾性体のそれぞれのたわみ量が規定値となるまで螺進させることを特徴としたエレベータ吊りロッド防振装置の取付け方法。
【請求項２】
前記追設弾性体が、複数個重ねて配置されることを特徴とする請求項１記載のエレベータ吊りロッド防振装置の取付け方法。
【発明の詳細な説明】
【技術分野】
【０００１】
本発明は、昇降路上部に架設される支持梁により乗かご及びつり合いおもりに接続されたロープを吊り滑車及び吊りロッドを介して支持するエレベータ装置にあって、吊りロッドから支持梁に伝達する振動を低減するエレベータ吊りロッド防振装置の取付け方法に関するものである。
【背景技術】
【０００２】
多くのエレベータ装置は、乗かごの昇降移動を案内する乗かごガイドレール、及びつり合いおもりの昇降移動を案内するつり合いおもり用ガイドレールの上端側に支持梁を備え、この支持梁により乗かご及びつり合いおもりに接続されたロープを吊り滑車及び吊りロッドを介して支持する構造となっている。このため、支持梁には吊りロッドから乗かご及びつり合いおもりの昇降動作に伴う振動が伝達する。この振動は支持梁からガイドレール、ガイドレールからレールブラケットを介して建築物へ伝わり、特に、昇降路に居室などが隣接している場合は、騒音被害を招く要因となる。したがって、吊りロッドから支持梁に伝わる振動を可能な限り低減することが望ましい。そこで、従来、吊り滑車を支持している支持梁とその吊り滑車を吊るための吊りロッドとの連結部に弾性体を配置し、支持梁や建築物への振動の伝達を低減するものが提案されている（例えば、特許文献１、２参照）。
【特許文献１】特許第３３９７７３３号
【特許文献２】特開２００６−１８２４９１号公報
【発明の開示】
【発明が解決しようとする課題】
【０００３】
前述した従来の方法により振動の低減を図ることができるが、稀に建築物の構造により吊りロッドからの振動が支持梁、次いで建築物に伝わり、さらならなる振動の低減が望まれる場合がある。しかしながら、従来のものでは、既設のエレベータ装置にあって、振動低減のため支持梁と吊りロッドとの連結部に配置される弾性体をより振動吸収に優れたものに変更しようとした場合、吊りロッドに掛かる荷重を解除したうえで、吊りロッドを支持梁に固定するナット等を取外す必要があり、作業に多くの手間と時間を要するという問題があった。
【０００４】
本発明は、前述した従来技術における実状からなされたもので、その目的は、容易に振動伝達の低減を図ることのできるエレベータ吊りロッド防振装置の取付け方法を提供することにある。
【課題を解決するための手段】
【０００５】
前記目的を達成するために、本発明の請求項１に係る発明は、昇降路を昇降する乗かご及びつり合いおもりと、上下に延在するように前記昇降路に立設され、前記乗かごの昇降移動を案内する乗かごガイドレールと、上下に延在するように前記昇降路に立設され、前記つり合いおもりの昇降移動を案内するつり合いおもりガイドレールと、前記昇降路の上部に架設される支持梁と、前記乗かご及び前記つり合いおもりを吊るロープと、このロープが滑走自在に巻き掛けられる吊り滑車と、この吊り滑車を吊るとともに、前記支持梁に挿通される吊りロッドと、この吊りロッドに螺合され、前記吊りロッドを前記支持梁の上部にて固定するナットと、前記吊りロッドに挿通され、前記支持梁の上面と接するように配置される第１のプレートと、前記吊りロッドに挿通され、前記第１のプレートの上面と接するように配置される弾性体と、前記吊りロッドに挿通され、前記弾性体と前記ナットとの間に配置される第２のプレートと、前記吊りロッドに螺合され、前記ナットの上面に接するように配置されるロックナットとを有するエレベータ装置にあって、前記吊りロッドから前記支持梁に伝達する振動を低減するエレベータ吊りロッド防振装置の取付け方法おいて、前記ロックナットを前記吊りロッドから取外した後、その下面に前記ナットの外形寸法よりも大きな寸法を有する穴が形成されるスペーサを前記吊りロッド上端から挿通して前記ナットを覆うように配置し、次いで、追設弾性体を前記スペーサの上面に接するように配置し、この後、追設プレートを前記追設弾性体の上面に接するように配置し、次に、追設ナットを前記吊りロッドに螺合するとともに、この追設ナットを前記弾性体及び前記追設弾性体のそれぞれのたわみ量が規定値となるまで螺進させることを特徴としている。
【０００６】
本発明の請求項１に係る発明では、ロックナットを吊りロッドから取外した後、スペーサを吊りロッド上端から挿入し、このスペーサの下面に形成された穴に既設のナットを収納する。この状態で追設弾性体、次いで追設プレートを吊りロッドに挿通するとともに、追設ナットを螺合し、この追設ナットを既設の弾性体及び追設弾性体のそれぞれのたわみ量が規定値となるまで螺進させる。これにより既設のナットと第１のプレートとが離隔するとともに、追設ナットで荷重を受け、既設の弾性体及び追設弾性体のそれぞれにより振動が吸収されるようになる。このように、既設のナットを外すことなく、即ち、吊りロッドに荷重をかけたまま、追設弾性体を取付けることができ、これによって、容易に振動伝達の低減を図ることができる。
【０００７】
また、本発明の請求項２に係る発明は、前記追設弾性体が、複数個重ねて配置されることを特徴としている。
【０００８】
本発明の請求項２に係る発明では、追設弾性体を複数個重ねて配置することにより、振動伝達をさらに低減することができる。
【発明の効果】
【０００９】
本発明によれば、追設弾性体を取付けるという簡易な構造で、建築物へ振動が伝達することを防止し、快適性の向上を図ることができるとともに、追設弾性体は、既設のナットを外すことなく、即ち、吊りロッドに荷重をかけたまま取付けることができることから、作業に要する労力及び時間を大幅に低減することができる。
【発明を実施するための最良の形態】
【００１０】
以下、本発明のエレベータ吊りロッド防振装置の取付け方法に係る実施の形態を図に基づいて説明する。
【００１１】
図１は本発明のエレベータ吊りロッド防振装置の取付け方法に係る一実施形態を示す概略構成図、図２はエレベータ装置の支持梁部の正面図、図３はエレベータ装置の支持梁部の側面図、図４は吊りロッド部の要部拡大図、図５はスペーサ、追設弾性体、追設プレート及び追設ナットを取付けた状態を示す吊りロッド部の要部拡大図、図６は追設ナット取付けの後、ロックナットを螺合した状態を示す吊りロッド部の要部拡大図、図７はスペーサを上方向から見た平面図、図８はスペーサの側面図、図９はスペーサを下方向から見た平面図である。
【００１２】
既設のエレベータ装置は図１、図２及び図３に示すように、昇降路１を昇降する昇降体、即ち、乗かご２及びつり合いおもり３と、レールブラケット４を介して昇降路壁１ａに取付けられ、昇降体２、３の昇降移動を案内するガイドレール５と、ガイドレール５の上部に架設される支持梁６と、乗かご２及びつり合いおもり３を吊るロープ７と、このロープ７が滑走自在に巻き掛けられる吊り滑車８と、この吊り滑車８を回転自在に軸支する支持体９と、この支持体９の左右２箇所にその下端が接続されるとともに、支持梁６に挿通される吊りロッド１０と、この吊りロッド１０に螺合され、吊りロッド１０を支持梁６の上部にて固定するナット１１と、吊りロッド１０に挿通され、支持梁６の上面と接するように配置される第１のプレート１２と、吊りロッド１０に挿通され、第１のプレート１２の上面と接するように配置される弾性体１３と、吊りロッド１０に挿通され、弾性体１３とナット１１との間に配置される第２のプレート１４と、吊りロッド１０に螺合され、ナット１１の上面に接するように配置されるロックナット１５と、吊りロッド１０の上端に取付けられる割りピン１６とを有している。
【００１３】
このように構成される既設のエレベータ装置にあって、昇降体２、３の昇降移動に応じ、振動が吊りロッド１０から支持梁６に、次いで、支持梁６から昇降路壁１ａに伝わり、さらなる振動の低減が望まれる場合がある。
【００１４】
そこで、本実施形態にあっては、図５及び図６に示すように、吊りロッド１０に挿通され、第２のプレート１４の上面に接するように配置されるスペーサ２０と、吊りロッド１０に挿通され、スペーサ２０の上面に接するように配置される追設弾性体２１と、吊りロッド１０に挿通され、追設弾性体２１の上面に接するように配置される追設プレート２２と、吊りロッド１０に螺合され、追設プレート２２の上面に接するように配置される追設ナット２３とを備えている。
【００１５】
また、スペーサ２０は図７、図８及び図９に示すように、下面にナット１１の外形寸法よりも大きな寸法、即ち、ナット１１の幅寸法より大きな口径、及び、ナット１１の高さ寸法より大きな奥行き寸法を有する穴２０ａが形成されるとともに、その外径は第２のプレート１４の外径より小さなものに設定されている。
【００１６】
次に、本実施形態の吊りロッド防振装置の取付け方法の作業手順を説明する。
【００１７】
まず、割りピン１６を吊りロッド１０から取外すとともに、ロックナット１５を吊りロッド１０から取外して図４に示す状態とする。次に、図５に示すように、スペーサ２０を吊りロッド１０上端から挿入し、このスペーサ２０の下面に形成された穴２０ａに既設のナット１１を収納する。この状態で追設弾性体２１、次いで追設プレート２２を吊りロッド１０に挿通するとともに、追設ナット２３を螺合する。そして、追設ナット２３を既設の弾性体１３及び追設弾性体２１のそれぞれのたわみ量が規定値ｈとなるまで螺進させる。このとき作業員は両弾性体１３、２１のたわみ量が共に規定値ｈとなることを確認するとともに、支持梁６と吊り滑車８との隙間δ、及び、第１のプレート１２と吊りロッド１０の上端までの距離Ｌが、それぞれ図６に示すようにδ−ｎ、Ｌ＋ｎになっていることを確認する。これはナット１１がスペーサ２０の穴２０ａ内で第１のプレート１２から離隔し、追設ナット２３で荷重を受け、既設の弾性体１３及び追設弾性体２１のそれぞれにより振動が吸収されるようになったことを確認するためである。この後、図６に示すように、追設ナット２３の回り止めとしてロックナット１５を吊りロッド１０に螺合し、次いで、割りピン１６を取付けて作業を終了する。
【００１８】
本実施形態によれば、追設弾性体２１を取付けるという簡易な構造で、建築物へ振動が伝達することを防止し、快適性の向上を図ることができるとともに、追設弾性体２１は、既設のナット１１を外すことなく、即ち、吊りロッド１０に荷重をかけたまま取付けることができることから、作業に要する労力及び時間を大幅に低減することができる。
【００１９】
図１０は本発明のエレベータ吊りロッド防振装置の取付け方法に係る他の実施形態を示す吊りロッド部の要部拡大図である。なお、前述したものと同等のものには同一符号が付してある。
【００２０】
図１０に示す他の実施形態の吊りロッド防振装置の取付け方法にあっては、前述した実施形態と同様の手順でスペーサ２０を装着した後、２つの追設弾性体２１ａ、２１ｂを重ねるようにして吊りロッド１０に挿通する。次いで、前述と同様の手順で追設プレート２２、追設ナット２３を装着する。
【００２１】
他の実施形態によれば、追設弾性体２１ａ、２１ｂを複数個重ねて配置することにより、振動の伝達をさらに低減することができる。なお、他の実施形態では２つの追設弾性体２１ａ、２１ｂを設けた例を示したが、本発明はこれに限らず、吊りロッド１０の寸法が許す限り、複数の追設弾性体を重ねて配置することが可能である。
【図面の簡単な説明】
【００２２】
【図１】本発明のエレベータ吊りロッド防振装置の取付け方法に係る一実施形態を示す概略構成図である。
【図２】エレベータ装置の支持梁部の正面図である。
【図３】エレベータ装置の支持梁部の側面図である。
【図４】吊りロッド部の要部拡大図である。
【図５】スペーサ、追設弾性体、追設プレート及び追設ナットを取付けた状態を示す吊りロッド部の要部拡大図である。
【図６】追設ナット取付けの後、ロックナットを螺合した状態を示す吊りロッド部の要部拡大図である。
【図７】スペーサを上方向から見た平面図である。
【図８】スペーサの側面図である。
【図９】スペーサを下方向から見た平面図である。
【図１０】本発明のエレベータ吊りロッド防振装置の取付け方法に係る他の実施形態を示す吊りロッド部の要部拡大図である。
【符号の説明】
【００２３】
１  昇降路
２  乗かご
３  つり合いおもり
４  レールブラケット
５  ガイドレール
６  支持梁
７  ロープ
８  吊り滑車
９  支持体
１０  吊りロッド
１１  ナット
１２  第１のプレート
１３  弾性体
１４  第２のプレート
１５  ロックナット
１６  割りピン
２０  スペーサ
２１、２１ａ、２１ｂ  追設弾性体
２２  追設プレート
２３  追設ナット
【図１】
0004974374.tif 000002
【図２】
0004974374.tif 000003
【図３】
0004974374.tif 000004
【図４】
0004974374.tif 000005
【図５】
0004974374.tif 000006
【図６】
0004974374.tif 000007
【図７】
0004974374.tif 000008
【図８】
0004974374.tif 000009
【図９】
0004974374.tif 000010
【図１０】
0004974374.tif 000011